(57)【要約】【課題】本発明は、特に給湯器の無線制御装置に関するもので、無線リモコンにスピーカーを搭載するとスピーカーでの消費電流が大きいため無線リモコンの電池寿命が非常に短くなってしまう課題があった。【解決手段】スピーカー用の電源として別途スピーカー用電池１１を備えることで、スピーカー用電池１１が切れてもリモコン２は動作可能にし、使用勝手の良いリモコンを提供できる。【選択図】  図１
2005030611.tif 000002
【特許請求の範囲】
【請求項１】
給湯器と、前記給湯器を無線で遠隔操作を行う１個又は複数の無線リモコンで構成され、前記無線リモコンは、前記無線リモコンを制御する制御部と、無線通信を行う送受信部と、ユーザー等外部からの操作を受けつける操作部と、前記給湯器や前記無線リモコンの状態を表示する表示部と、ユーザーに音で報知を行うスピーカーと、メイン電源としてのリモコン制御用電池と、前記スピーカー用の電源としてのスピーカー用電池を備えた給湯器の無線制御装置。
【請求項２】
制御部は操作部より所定の操作を受けつけることでスピーカーで報知する内容を制限する請求項１記載の給湯器の無線制御装置。
【請求項３】
制御部はスピーカー用電池の電池電圧を監視し、その値がある電圧以下になると、表示部へ電池電圧低下の警告表示を行う指示を出す請求項１または２に記載の給湯器の無線制御装置。
【請求項４】
無線リモコンは、スピーカー用電源としてスピーカー用充電電池と、前記スピーカー用充電電池に充電を行う充電手段とを備えた請求項１〜３のいずれか１項記載の給湯器の無線制御装置。
【請求項５】
無線リモコンはリモコン制御用電池とスピーカー用充電電池の代わりにメイン電源とスピーカー用電源の両方の役割を果たすリモコン用充電電池を備えた請求項４記載の給湯器の無線制御装置。
【請求項６】
無線リモコンは壁に取付けられたリモコン取付板に挿入され、前記リモコン取付板は商用電源を電源とする電源部と、前記無線リモコンの充電手段に給電する給電手段を備え、前記無線リモコンを前記リモコン取付板に挿入することで充電を行う請求項４または５記載の給湯器の無線制御装置。
【発明の詳細な説明】
【０００１】
【発明の属する技術分野】
本発明は、特に給湯器の無線制御装置に関するものである。
【０００２】
【従来の技術】
従来の給湯器の無線制御装置は、無線リモコンの電源として電池を使用していた。この電池が無線リモコンの全ての電源供給を行っていた（例えば特許文献１参照）。
【０００３】
図６は、前記文献に記載された従来の給湯器の無線リモコンを示すものである。
【０００４】
図６において、１８は従来の無線リモコン、１９は従来の無線リモコン１８の全ての電源供給を行う電池、２０は従来の無線リモコン１８を制御するＩＣ、５は無線通信を行う送受信部、６は外部からの操作を受け付ける操作部、２１は音や表示でユーザーに報知する報知部である。
【０００５】
【特許文献１】
特開平９−１５９２６８号公報（図２）
【０００６】
【発明が解決しようとする課題】
しかしながら、前記従来の構成では、無線リモコンの電源として電池を使用しているため、報知部としてスピーカー等の消費電流が大きい負荷を使用した場合、リモコンの電池寿命が短くなるためユーザーが新品の電池を購入し交換する頻度が多くなり、リモコンとして使用勝手が不便という課題を有していた。
【０００７】
本発明は前記従来の課題を解決するもので、スピーカーを搭載した無線リモコンで構成される使用勝手の良い給湯器の無線制御装置を提供することを目的とする。
【０００８】
【課題を解決するための手段】
本発明は上記課題を解決するために、スピーカー用電源として無線リモコンのメイン電源であるリモコン制御用電池とは別にスピーカー用電池を搭載したものである。
【０００９】
これによってスピーカー用電池が先に電池切れを起こした場合でも、リモコン制御用電池が残っていれば、スピーカー以外の機能は全て使用可能となる。
【００１０】
【発明の実施の形態】
請求項１に記載の発明は、給湯器と、給湯器を無線で遠隔操作を行う１個又は複数の無線リモコンで構成され、無線リモコンは、無線リモコンを制御する制御部と、無線通信を行う送受信部と、ユーザー等外部からの操作を受けつける操作部と、給湯器や無線リモコンの状態を表示する表示部と、ユーザーに音で報知を行うスピーカーと、メイン電源としてのリモコン制御用電池と、スピーカー用の電源としてのスピーカー用電池を備えた給湯器の無線制御装置であり、スピーカー用電源として無線リモコンのメイン電源であるリモコン制御用電池とは別にスピーカー用電池を搭載することにより、スピーカー用電池が先に電池切れを起こした場合でも、リモコン制御用電池が残っていれば、スピーカー以外の機能は全て使用可能となるため、使用勝手の良い給湯器の無線制御装置を提供することができる。
【００１１】
請求項２に記載の発明は、制御部は操作部よりある操作を受けつけることでスピーカーで報知する内容を制限するようにしたものであり、操作部よりある操作を受け付けることでスピーカーで報知する内容を制限することにより、スピーカーで消費する消費電流を制限できスピーカー用電池の電池寿命を延ばすことができるため、請求項１記載の無線リモコンよりさらに使用勝手が良く、省電力の給湯器の無線制御装置を提供することができる。
【００１２】
請求項３に記載の発明は、制御部はスピーカー用電池の電池電圧を監視し、その値がある電圧以下になると、表示部へ電池電圧低下の警告表示を行う指示を出すようにしたものであり、制御部がスピーカー用電池の電池電圧を監視し、その電圧がある値以下になると表示部に電池電圧低下の警告表示を行うことにより、ユーザーがスピーカー用電池の電池切れを事前に知ることができるため、請求項１、２記載の無線リモコンよりさらに使用勝手が良い給湯器の無線制御装置を提供することができる。
【００１３】
請求項４に記載の発明は、無線リモコンは前記スピーカー用電源としてスピーカー用充電電池と、スピーカー用充電電池に充電を行う充電手段を備えたものであり、スピーカー用の電源として充電電池を搭載し無線リモコン内部に充電手段を搭載することにより、スピーカー用の電池が電池切れを起こしてもユーザーが電池を交換する必要が無く充電するだけでスピーカー機能が使用可能となるため、請求項１、２、３に記載の給湯器の無線制御装置よりさらに使用勝手が良い給湯器の無線制御装置を提供することができる。
【００１４】
請求項５に記載の発明は、無線リモコンはリモコン制御用電池とスピーカー用充電電池の代わりにメイン電源とスピーカー用電源の両方の役割を果たすリモコン用充電電池を備えたものであり、リモコン制御用電池とスピーカー用充電電池の代わりにリモコン用充電電池を搭載することにより、電源を１つにまとめることができるため、請求項４に記載の給湯器の無線制御装置よりさらに小型で安価な給湯器の無線制御装置を提供することができる。
【００１５】
請求項６に記載の発明は、無線リモコンは壁に取付けられたリモコン取付板に挿入され、リモコン取付板は商用電源を電源とする電源部と、無線リモコンの前記充電手段に給電する給電手段を備え、無線リモコンをリモコン取付板に挿入することで充電を行うようにしたものであり、リモコン取付板に商用電源を電源とする電源部と無線リモコンへの給電手段を搭載することにより、通常の使用状態である無線リモコンをリモコン取付板に挿入しているだけで充電ができるため、請求項４、５に記載の給湯器の無線制御装置よりさらに使用勝手が良い給湯器の無線制御装置を提供することができる。
【００１６】
【実施例】
以下、本発明の実施例について図面を参照して説明する。
【００１７】
（実施例１）
図１は、本発明の第１、第２の実施例における給湯器の無線制御装置のブロック図である。
【００１８】
図１において１は給湯器であり、２は給湯器１と無線通信を行う無線リモコンである。無線リモコン２は、無線リモコンの制御を行う制御部４と、無線通信を行う送受信部５と、外部からの操作を受け付ける操作部６と、外部に給湯器１や無線リモコン２の状態を報知する表示部９と、外部に音で報知するスピーカー７と、スピーカー７以外に電源を供給するリモコン制御用電池３と、スピーカー７に電源を供給するスピーカー用電池８で構成される。
【００１９】
ここで無線リモコン２において無線リモコン２の制御や無線の送受信や外部からの操作の受け付けや表示部９での表示などスピーカー７以外の電源はリモコン制御用電池３から電源供給される。またスピーカー７を駆動する時にはスピーカー用電池８からスピーカー７へ電源を供給する。
【００２０】
従って、スピーカー７で消費する消費電流が大きいためスピーカー用電池８が先に電池切れを起こした場合でも、リモコン制御用電池３が残っていれば、スピーカー７以外の機能は全て使用可能となるため、使用勝手の良い給湯器の無線制御装置を提供することができる。
【００２１】
（実施例２）
また、ユーザー等が無線リモコン２の操作部６よりある操作を行うことで、制御部４はスピーカー７で報知する内容を制限することにより、スピーカー７で消費する消費電流を削減できスピーカー用電池８の電池寿命を延ばすことができる。
【００２２】
このため実施例１に記載の無線リモコンよりさらに使用勝手が良く、省電力の給湯器の無線制御装置を提供することができる。
【００２３】
（実施例３）
図２は、本発明の第３の実施例における給湯器の無線制御装置のブロック図である。
【００２４】
図２において、１０は無線リモコン２に設けられた制御部である。図１と異なる点は、スピーカー用電池８の電池電圧を制御部１０が監視し、その電池電圧がある電圧以下になると表示部９で電池電圧低下の警告表示を行う点である。
【００２５】
ここで、制御部１０がスピーカー用電池８の電池電圧を監視し、その電圧がある値以下になると表示部９に電池電圧低下の警告表示を行うことにより、ユーザーがスピーカー用電池８の電池切れを事前に知ることができるため、実施例１、２に記載の無線リモコンよりさらに使用勝手が良い給湯器の無線制御装置を提供することができる。
【００２６】
（実施例４）
図３は、本発明の第４の実施例における給湯器の無線制御装置のブロック図である。
【００２７】
図３において、１１はスピーカー用充電電池である。１２はスピーカー用充電電池１１に充電を行う充電手段である。図２と異なる点は、スピーカー用の電源がスピーカー用電池８から充電可能なスピーカー用充電電池１１に代わっている点と、スピーカー用充電電池１１に充電するための充電手段１２を追加した点である。
【００２８】
ここでスピーカー用の電源としてスピーカー用充電電池１１を搭載し無線リモコン内部に充電手段１２を搭載することにより、スピーカー用充電電池１１が電池切れを起こしてもユーザーが電池を交換する必要が無く充電するだけでスピーカー７が使用可能となるため、実施例１〜３に記載の給湯器の無線制御装置さらに使用勝手が良い給湯器の無線制御装置を提供することができる。
【００２９】
（実施例５）
図４は、本発明の第５の実施例における給湯器の無線制御装置のブロック図である。
【００３０】
図４において、１３はリモコン用充電電池である。図３と異なる点は、リモコン制御用電池３とスピーカー用充電電池１１の代わりにリモコン用充電電池１３を搭載した点である。
【００３１】
ここでリモコン制御用電池３とスピーカー用充電電池１１の代わりにリモコン用充電電池を搭載することにより、電源を１つにまとめることができるため、実施例１〜４に記載の給湯器の無線制御装置よりさらに小型で安価な給湯器の無線制御装置を提供することができる。
【００３２】
（実施例６）
図５は、本発明の第６の実施例における給湯器の無線制御装置の側面図である。
【００３３】
図５において、１４はリビングなど無線リモコン２が設置される壁である。１５は壁１４に取付けられた無線リモコン２のリモコン取付板である。リモコン取付板１５は商用電源を電源とする電源部１６とリモコン取付板１５に無線リモコン２が挿入されたとき電源部１６から供給される電源を無線リモコン２内の充電手段１２に給電を行う給電手段１７で構成される。
【００３４】
ここでリモコン取付板１５に商用電源を電源とする電源部１６と無線リモコン２の充電手段１２への給電手段１７を搭載することにより、通常の無線リモコン２の設置状態である無線リモコン２をりモコン取付板１５に挿入しているだけで充電ができるため、実施例１〜５に記載の給湯器の無線制御装置さらに使用勝手が良い給湯器の無線制御装置を提供することができる。
【００３５】
【発明の効果】
以上の説明から明らかなように本発明によれば、無線リモコンの報知手段として消費電流の大きいスピーカーを使用しても、リモコンの電池寿命が長く、省電力で、電池が切れる前にユーザーが事前に察知でき、小型で、安価で、通常設置の状態で充電ができる使用勝手の良い給湯器の無線制御装置を提供することができる。
【図面の簡単な説明】
【図１】本発明の実施例１，２における給湯器の無線制御装置のブロック図
【図２】本発明の実施例３における給湯器の無線制御装置のブロック図
【図３】本発明の実施例４における給湯器の無線制御装置のブロック図
【図４】本発明の実施例５における給湯器の無線制御装置のブロック図
【図５】本発明の実施例６における給湯器の無線制御装置のブロック図
【図６】従来の給湯器の無線制御装置の無線リモコンのブロック図
【符号の説明】
１  給湯器
２  無線リモコン
３  リモコン制御用電池
４  制御部
５  送受信部
６  操作部
７  スピーカー
８  スピーカー用電池
９  表示部
１０  制御部
１１  スピーカー用充電電池
１２  充電手段
１３  リモコン用充電電池
１４  壁
１５  リモコン取付板
１６  電源部
１７  給電手段
【図１】
2005030611.tif 000003
【図２】
2005030611.tif 000004
【図３】
2005030611.tif 000005
【図４】
2005030611.tif 000006
【図５】
2005030611.tif 000007
【図６】
2005030611.tif 000008